(57)【要約】【課題】コネクタへの水の浸入を抑制しながら、設計自由度を向上させることが可能な電動工具を提供する。【解決手段】電動工具１は、モータ３と、ハウジング２と、第１の回路モジュールと、第２の回路モジュールと、第１コネクタと、第２コネクタと、コネクタ保護ケース９と、を備える。ハウジング２は、中空であってモータ３を収納する。第１及び第２の回路モジュールは、ハウジング２内の第１及び第２領域にそれぞれ配置される。第１コネクタは、複数の第１リード線を介して第１の回路モジュールに接続され、第２コネクタは、複数の第２リード線を介して第２の回路モジュールに接続される。コネクタ保護ケース９は、ハウジング２内に配置される。コネクタ保護ケース９は、複数の第１リード線及び複数の第２リード線が導出されるように第１コネクタ及び第２コネクタを内部に収納する。コネクタ保護ケース９は、内部への水の浸入を抑制する防水部を備える。【選択図】図２
2018089731.tif 000002
【特許請求の範囲】
【請求項１】
モータと、
前記モータを収納する中空のハウジングと、
前記ハウジング内の第１領域に配置される第１の回路モジュールと、
前記ハウジング内の第２領域に配置される第２の回路モジュールと、
複数の第１リード線を介して前記第１の回路モジュールに接続される第１コネクタと、
複数の第２リード線を介して前記第２の回路モジュールに接続され、前記第１コネクタに着脱可能に接続される第２コネクタと、
前記ハウジング内に配置され、前記複数の第１リード線及び前記複数の第２リード線が導出されるように前記第１コネクタ及び前記第２コネクタを内部に収納するコネクタ保護ケースと、
を備え、
前記コネクタ保護ケースは、前記内部への水の浸入を抑制する防水部を備える電動工具。
【請求項２】
前記ハウジングは、使用者が手で持つための一方向に長いグリップ部を有し、
前記第１及び第２領域は、前記グリップ部における前記一方向の両側にそれぞれ位置し、
前記コネクタ保護ケースは、前記グリップ部の内部に配置される
請求項１記載の電動工具。
【請求項３】
前記コネクタ保護ケースは、
一面に開口を有するベースと、
前記ベースの前記開口を覆うように前記ベースに着脱可能に結合されるカバーと、
を備え、
前記防水部は、弾性材料からなり、前記ベースの前記開口の開口縁に設けられて前記ベースと前記カバーとの間に介在するシール部材を含む
請求項１又は２記載の電動工具。
【請求項４】
前記複数の第１リード線は、前記ベースの前記開口縁と前記カバーとの間から導出され、
前記防水部は、
前記ベース側に配置された第１弾性部材と、
前記カバー側に配置されて、前記第１弾性部材とともに前記複数の第１リード線の間の隙間を埋める第２弾性部材と、
を含む
請求項３記載の電動工具。
【請求項５】
前記コネクタ保護ケースは、前記複数の第１リード線を導出するための導出口を有し、
前記防水部は、弾性材料からなるブッシングを含み、
前記ブッシングは、前記複数の第１リード線がそれぞれ通される複数の導出孔を有し、前記導出口を埋めるように配置される
請求項１〜３の何れか一項に記載の電動工具。
【請求項６】
使用者の操作を受け付ける操作部を更に備え、
前記第１及び第２の回路モジュールのうちの一方は、前記操作部の操作に応じた操作信号を生成するスイッチ回路モジュールであり、
前記第１及び第２の回路モジュールのうちの他方は、前記スイッチ回路モジュールから前記第１及び第２コネクタを介して受け取った前記操作信号に応じて前記モータの駆動を制御する制御回路モジュールである
請求項１〜５の何れか一項に記載の電動工具。
【発明の詳細な説明】
【技術分野】
【０００１】
本発明は、一般に電動工具に関し、より詳細には回路モジュール同士を接続するコネクタを備えた電動工具に関する。
【背景技術】
【０００２】
従来、電気を動力源とする電動工具がある（例えば特許文献１参照）。特許文献１記載の電動工具は、ブラシレスモータと、インバータ回路基板と、制御基板と、これらを収納するハウジングと、を備えている。
【０００３】
特許文献１の電動工具では、ハウジングのハンドル部の下部内に制御基板が収容され、ハウジングの胴体部内にインバータ回路基板が収容されている。また、制御基板から延びるフラットケーブルは、ハウジングのハンドル部を通って胴体部へと立ち上がり、その端部は、インバータ回路基板のコネクタに差し込まれている。これにより、制御基板とインバータ回路基板とは、フラットケーブルを介して電気的に接続されている。
【０００４】
また、特許文献１の電動工具では、インバータ回路基板とハウジング内壁との間に弾性体が介設され、この弾性体で画成される密閉空間に、インバータ回路基板のコネクタが収容されている。これにより、コネクタへの水や粉塵の浸入が防止されている。
【先行技術文献】
【特許文献】
【０００５】
【特許文献１】特開２００９−１９６０１３号公報
【発明の概要】
【発明が解決しようとする課題】
【０００６】
特許文献１の電動工具では、コネクタが、インバータ回路基板に直接設けられている。このため、この電動工具では、ハウジング内においてインバータ回路基板の近くにコネクタを収容するための空間が必要となり、設計自由度が低下していた。
【０００７】
本発明は、上記事由に鑑みてなされており、コネクタへの水の浸入を抑制しながら、設計自由度を向上させることが可能な電動工具を提供することを目的とする。
【課題を解決するための手段】
【０００８】
本発明の一態様に係る電動工具は、モータと、ハウジングと、第１の回路モジュールと、第２の回路モジュールと、第１コネクタと、第２コネクタと、コネクタ保護ケースと、を備える。前記ハウジングは、中空であって、前記モータを収納する。前記第１の回路モジュールは、前記ハウジング内の第１領域に配置される。前記第２の回路モジュールは、前記ハウジング内の第２領域に配置される。前記第１コネクタは、複数の第１リード線を介して前記第１の回路モジュールに接続されている。前記第２コネクタは、複数の第２リード線を介して前記第２の回路モジュールに接続されており、前記第１コネクタに着脱可能に接続される。前記コネクタ保護ケースは、前記複数の第１リード線及び前記複数の第２リード線が導出されるように前記第１コネクタ及び前記第２コネクタを内部に収納する。前記コネクタ保護ケースは、前記ハウジング内に配置される。前記コネクタ保護ケースは、前記コネクタ保護ケースの前記内部への水の浸入を抑制する防水部を備える。
【発明の効果】
【０００９】
本発明は、コネクタへの水の浸入を抑制しながら、設計自由度を向上させることが可能な電動工具を提供することができるという利点がある。
【図面の簡単な説明】
【００１０】
【図１】図１は、本発明の一実施形態に係る電動工具の一部破断した側面図である。
【図２】図２は、上記電動工具に用いられるコネクタユニットの斜視図である。
【図３】図３は、上記コネクタユニットを分解した状態の断面図である。
【図４】図４は、上記コネクタユニットのハウジングへの固定方法の一例を説明するための説明図である。
【図５】図５は、変形例１のコネクタユニットを分解した状態の側面図である。
【図６】図６は、変形例２のコネクタユニットの側面図である。
【発明を実施するための形態】
【００１１】
以下に説明する実施形態は、本発明の様々な実施形態の一つに過ぎない。下記の実施形態は、本発明の目的を達成できれば、設計等に応じて種々の変更が可能である。また、下記の実施形態において説明する各図は、模式的な図であり、図中の各構成要素の寸法比が必ずしも実際の寸法比を反映しているとは限らない。
【００１２】
（実施形態）
以下では、本実施形態に係る電動工具１について、図１〜図６に基づいて説明する。
【００１３】
図１に、本実施形態の電動工具１の一部破断した側面図を示す。本実施形態の電動工具１は、作業者が片手で把持可能な可搬型の電動工具である。本実施形態の電動工具１は、より詳細には、作業対象（ねじ等）を回転させて衝撃力を加えることによって締め付ける電動式のインパクトドライバーである。
【００１４】
電動工具１には、充電式の電池パック１０が着脱可能に取り付けられる。なお、電池パック１０は、電動工具１の構成要素ではない。ただし、電動工具１が電池パック１０を備えていてもよい。電動工具１は、電池パック１０から供給される電力により動作する、いわゆる充電式の電動工具である。電池パック１０は、例えば、複数の二次電池（例えばリチウムイオン電池）と、これら二次電池を収納したケース１０１と、を備える。電池パック１０は、電池パック１０の情報を示す電池情報を通信するための、通信用コネクタを備える。電池情報には、例えば、温度情報、残容量情報、定格電圧情報、定格容量情報、回数情報等が含まれる。
【００１５】
図１に示すように、電動工具１は、ハウジング２と、モータ３と、スイッチ回路モジュール４と、操作部４１と、制御回路モジュール５と、接続端子ユニット６と、を備える。なお、本実施形態では、スイッチ回路モジュール４と制御回路モジュール５とのうちの一方が第１の回路モジュールに相当し、他方が第２の回路モジュールに相当する。
【００１６】
ハウジング２は、中空筒形状の胴体部２１と、胴体部２１の周面から胴体部２１の径方向に（図１の下方へ）突出するグリップ部２２と、を備える。以下、胴体部２１に対してグリップ部２２が位置する側（図１の下側）を「下側」とする。
【００１７】
胴体部２１の内部には、モータ３が収納される。胴体部２１には、モータ３が配置される位置の近傍に、複数の通気孔２１１が形成されている。
【００１８】
また、胴体部２１の軸方向における一端側（図１の右側）からは、先端にビット装着部３１０が設けられた出力軸３１が、突出している。ビット装着部３１０には、作業対象の部材に合わせたビット（ドライバービット等）が、着脱可能に取り付けられる。モータ３の回転は、インパクト機構３２を介して出力軸３１（ビット装着部３１０）に伝達される。電動工具１では、出力トルクが所定レベルを超えると、インパクト機構３２が出力軸３１に打撃力を加えて、これにより作業対象のねじやボルトをねじ込むことができる。以下、モータ３に対して出力軸３１が位置する側（図１の右側）を、「前側」とする。
【００１９】
グリップ部２２は、使用者が手で持つことができるように、一方向（図１の上下方向）に長い中空の筒形状に形成されている。グリップ部２２の内部（内部空間）は、胴体部２１の内部（内部空間）と連通している。ハウジング２は、グリップ部２２の下側（グリップ部２２の胴体部２１とは反対側）に、電池パック１０が着脱可能に取り付けられる電池パック装着部２３を更に備えている。例えば、電池パック１０は、電池パック装着部２３に取り付けられた状態から電池パック装着部２３に対して前方へスライド移動させることで、電池パック装着部２３から取り外される。また、電池パック１０を電池パック装着部２３に対して位置を合わせ、電池パック装着部２３に対して後方へスライド移動させることで、電池パック１０が電池パック装着部２３へ取り付けされる。
【００２０】
スイッチ回路モジュール４は、グリップ部２２の上側（上記一方向における、グリップ部２２の一方側）の部分の内部に配置されている。スイッチ回路モジュール４は、複数（５本）のリード線７１、コネクタユニット８、及び複数（５本）のリード線７２を介して、制御回路モジュール５に接続されている。本実施形態では、リード線７１，７２は被覆電線である。
【００２１】
また、スイッチ回路モジュール４は、操作部４１に接続されている。操作部４１は、トリガレバー４１１を備えている。トリガレバー４１１は、操作者の指による操作が可能なように、グリップ部２２の前側に設けられている。トリガレバー４１１は、操作者の指の操作によって後方に引き込まれるよう構成されている。
【００２２】
スイッチ回路モジュール４は、例えばメインスイッチ（図示せず）を備えている。メインスイッチは、例えば、電池パック１０からモータ３に電力を供給するための電力供給路に設けられる。電力供給路は、例えば、接続端子ユニット６（後述の一対の接続端子６１の一方）とモータ３とを繋ぐ電線７３と、モータ３とメインスイッチとを繋ぐ電線と、メインスイッチと接続端子ユニット６（一対の接続端子６１の他方）とを繋ぐ電線と、を含む。図面の煩雑さをさけるため、図１では、上記のモータ３とメインスイッチとを繋ぐ電線、及びメインスイッチと接続端子ユニット６とを繋ぐ電線の図示を、省略している。スイッチ回路モジュール４は、トリガレバー４１１の引き込み量が所定量以下の場合にはメインスイッチをオフし、トリガレバー４１１の引き込み量が所定量を超えるとメインスイッチをオンする。これにより、スイッチ回路モジュール４は、電池パック１０からモータ３への電力の供給と遮断とを切り換える。また、スイッチ回路モジュール４は、トリガレバー４１１の引き込み量が上記の所定量を超えると、トリガレバー４１１の引き込み量に応じた操作信号を、複数のリード線７１，７２、コネクタユニット８を介して、制御回路モジュール５に送信する。
【００２３】
また、スイッチ回路モジュール４は、モータ３の回転方向を切り換えるための正逆切換スイッチ４２に、接続されている。正逆切換スイッチ４２は、胴体部２１とグリップ部２２との境界付近に設けられている。
【００２４】
図１に示すように、制御回路モジュール５は、ハウジング２の電池パック装着部２３に配置されている。すなわち、制御回路モジュール５は、グリップ部２２の下側（上記一方向における、グリップ部２２の他方側）に配置されている。
【００２５】
制御回路モジュール５は、電動工具１の動作を制御する。制御回路モジュール５は、スイッチ回路モジュール４から送信される操作信号に基づいて、モータ３の駆動（回転速度）を制御する。制御回路モジュール５は、図示しない制御線を介してモータ３に接続されており、制御線を介してモータ３の駆動を制御する。
【００２６】
制御回路モジュール５は、接続コネクタ５１を備えている。電池パック１０が電池パック装着部２３に取り付けられた状態で、接続コネクタ５１は、電池パックの通信コネクタに接続される。制御回路モジュール５は、接続コネクタ５１を通じて、電池パック１０から電池情報を取得する。また、制御回路モジュール５は、接続端子ユニット６を通じて、電池パック１０から動作電力を受け取る。
【００２７】
接続端子ユニット６は、一対の接続端子６１を備えている。電池パック１０が電池パック装着部２３に取り付けられた状態で、一対の接続端子６１は、電池パック１０の正極側及び負極側の電極にそれぞれ接続される。図１には、一対の接続端子６１のうちの一方のみを図示している。
【００２８】
電動工具では、使用者によって操作される操作部及びスイッチ回路モジュールは、摩耗等によって故障が発生する可能性がある。そこで、本実施形態の電動工具１では、制御回路モジュール５を交換することなくスイッチ回路モジュール４を交換可能なように、コネクタユニット８によって、スイッチ回路モジュール４と制御回路モジュール５とを接続している。
【００２９】
以下、このコネクタユニット８について、説明する。
【００３０】
図１に示すように、コネクタユニット８は、スイッチ回路モジュール４から延びる複数のリード線７１と、制御回路モジュール５から延びる複数のリード線７２と、を接続している。図１に示すように、コネクタユニット８は、ハウジング２内に配置されている。より詳細には、コネクタユニット８は、グリップ部２２の内部に配置されている。
【００３１】
ここで、スイッチ回路モジュール４は操作部４１に接続されているので、操作部４１の近く（グリップ部２２の上側）に配置されることが好ましく、また、制御回路モジュール５は電池パック装着部２３（グリップ部２２の下側）に配置されることが好ましい。このため、グリップ部２２の内部には、空間が存在する。本実施形態では、コネクタユニット８をグリップ部２２の内部に配置することで、この空間を有効に利用している。
【００３２】
図２に示すように、コネクタユニット８は、スイッチ側コネクタ８１と、制御側コネクタ８２と、コネクタ保護ケース９と、を備える。本実施形態では、スイッチ側コネクタ８１と制御側コネクタ８２とのうち、スイッチ回路モジュール４と制御回路モジュール５とのうちの第１の回路モジュールに接続されている方が、第１コネクタに相当する。また、スイッチ側コネクタ８１と制御側コネクタ８２とのうち、スイッチ回路モジュール４と制御回路モジュール５とのうちの第２の回路モジュールに接続されている方が、第２コネクタに相当する。
【００３３】
スイッチ側コネクタ８１は、一面（図２の左下を向く面）に嵌合凹所８１１を有する矩形箱状のケース８１０を備える。複数のリード線７１は、ケース８１０における嵌合凹所８１１とは反対側の面から、延出されている。嵌合凹所８１１には、複数のリード線７１にそれぞれ接続されている複数のコンタクト（図示せず）が、設けられている。スイッチ側コネクタ８１の複数のコンタクトは、複数のリード線７１を介してスイッチ回路モジュール４にそれぞれ接続されている。
【００３４】
制御側コネクタ８２は、矩形箱状のケース８２０を備える。ケース８２０は、スイッチ側コネクタ８１のケース８１０の嵌合凹所８１１に嵌入される嵌合突部８２１を有する。複数のリード線７２は、ケース８２０における嵌合突部８２１とは反対側の面から、延出されている。嵌合突部８２１には、複数のリード線７２にそれぞれ接続されている複数のコンタクト（図示せず）が、設けられている。制御側コネクタ８２の複数のコンタクトは、複数のリード線７２を介して制御回路モジュール５にそれぞれ接続されている。
【００３５】
制御側コネクタ８２のケース８２０の嵌合突部８２１が、スイッチ側コネクタ８１のケース８１０の嵌合凹所８１１に嵌入されると、スイッチ側コネクタ８１の複数のコンタクトが、制御側コネクタ８２の複数のコンタクトにそれぞれ接続される。これにより、スイッチ回路モジュール４と制御回路モジュール５とが、複数のリード線７１、スイッチ側コネクタ８１、制御側コネクタ８２、及び複数のリード線７２を介して接続される。
【００３６】
図２に示すように、コネクタ保護ケース９は、複数のリード線７１，７２が導出されるように、スイッチ側コネクタ８１及び制御側コネクタ８２を内部に収納する。
【００３７】
図２，３に示すように、コネクタ保護ケース９は、一面に開口９１９を有するベース９１と、ベース９１の開口９１９を覆うようにベース９１に着脱可能に結合されるカバー９２と、を備える。ベース９１及びカバー９２の各々は、例えば合成樹脂から直方体状に形成されている。カバー９２は、例えば、図３に示すように複数のねじ９３によってベース９１に結合される。ただし、ベース９１とカバー９２とは、任意の嵌合構造（例えば、ベース９１とカバー９２とに設けられた係合爪と係合爪に引っ掛けられる係合孔との組み合わせ）によって、結合されてもよい。
【００３８】
図３に示すように、ベース９１は、ベース９１の開口９１９を規定する開口を備えた凹所９１０を有し、カバー９２は、開口９２９を有する凹所９２０を有する。ベース９１がカバー９２に結合された状態で、凹所９１０，９２０によって、コネクタ保護ケース９内に収容空間９４が形成される。スイッチ側コネクタ８１及び制御側コネクタ８２は、この収容空間９４内に収容される。
【００３９】
また、ベース９１は、ベース９１の開口９１９の開口縁に沿って突出する枠状のリブ９１１を有する。リブ９１１の高さ（突出寸法）は、凹所９２０の深さよりも僅かに小さく設定されている。また、リブ９１１のリブ９１１は、カバー９２がベース９１に結合された状態で、カバー９２の凹所９２０内に差し込まれる。
【００４０】
図３，４に示すように、コネクタ保護ケース９は、弾性材料からなるシール部材９００を備えている。シール部材９００は、例えば弾性のゴムからなるＯリング等である。シール部材９００は、リブ９１１の外周に沿った枠状である。シール部材９００は、ベース９１の開口９１９の開口縁の全周にわたって設けられている。シール部材９００の厚みは、リブ９１１の高さよりも小さい。また、シール部材９００の厚みは、例えば、凹所９２０の深さとリブ９１１の高さとの差よりも大きい。カバー９２がベース９１に結合された状態で、シール部材９００は、ベース９１とカバー９２との間に挟まれて弾性的に変形し、ベース９１とカバー９２との間の隙間を埋める。すなわち、シール部材９００は、コネクタ保護ケース９の内部への水の浸入を抑制する防水部として機能する。
【００４１】
なお、図３，４に示すように、ベース９１及びカバー９２は、複数のリード線７１，７２を個別に通す孔を形成するための、複数の凹溝９１２，９２２をそれぞれ備えていてもよい。
【００４２】
また、コネクタ保護ケース９は、図１に示すようにグリップ部２２の内部で移動可能に配置されていてもよいし、或いは、例えば図４に示すように、ねじ９７等によってグリップ部２２の内部に位置固定されていてもよい。ただし、グリップ部２２の内部の他の配線等を保護する観点から、コネクタ保護ケース９はグリップ部２２の内部で位置固定されていることが好ましい。コネクタ保護ケース９のグリップ部２２への固定方法はねじ止めに限られず、グリップ部２２の内表面に設けた枠状のリブにコネクタ保護ケース９を嵌め込む等の、適宜の固定方法を用いてもよい。
【００４３】
このように、スイッチ側コネクタ８１及び制御側コネクタ８２をコネクタ保護ケース９内に収納することで、コネクタ８１，８２のコンタクトへの水の付着が防止され、コネクタ８１のコンタクト間、及びコネクタ８２のコンタクト間の短絡が防止される。例えば、トリガレバー４１１とハウジング２（グリップ部２２）との間の隙間や、ハウジング２の通気孔２１１から、ハウジング２内に水が浸入したとしても、コネクタ保護ケース９によって、この水がコネクタ８１，８２の端子に到達するのが抑制される。
【００４４】
また、コネクタユニット８は、複数のリード線７１と複数のリード線７２とを接続するいわゆる中継コネクタであるため、従来の電動工具に比べて、コネクタユニット８の位置を自由に設定することができ、設計自由度を高くすることができる。特に、コネクタユニット８をグリップ部２２の内部に配置することで、グリップ部２２の内部（内部空間）を有効利用することができる。
【００４５】
なお、ベース９１及びカバー９２のうちの少なくとも一方は、ハウジング２（グリップ部２２）と一体に形成されていてもよい。例えば、グリップ部２２の内表面と、グリップ部２２の内表面から突出する枠状のリブとによって、ベース９１又はカバー９２が構成されていてもよい。
【００４６】
また、ベース９１とカバー９２との間に、グリス等の封止剤を塗布してもよい。ベース９１とカバー９２との合わせ面にグリス等の封止材を塗布することで、コネクタ保護ケース９の内部に、更に水が入りにくくなる。
【００４７】
また、コネクタ保護ケース９を備えたコネクタユニット８は、スイッチ回路モジュール４と制御回路モジュール５とを繋ぐ電路以外の電路に用いられてもよい。すなわち、第１の回路モジュール及び第２の回路モジュールは、スイッチ回路モジュール４と制御回路モジュール５とに限られない。例えば、モータ３と制御回路モジュール５とを繋ぐ制御線にコネクタユニット８が設けられていてもよい。
【００４８】
また、電動工具１は、インパクトドライバーに限らず、他の電動工具（例えば造営材に矩形状の開口を形成する電動カッター、ジグソー等）であってもよい。
【００４９】
（変形例１）
図５に、変形例１のコネクタユニット８Ａを示す。なお、上記実施形態のコネクタユニット８と同様の構成については、同一の符号を付して適宜説明を省略する。
【００５０】
このコネクタユニット８Ａでは、複数のリード線７１，７２は、ベース９１Ａの開口の開口縁とカバー９２Ａとの間から導出されている。また、コネクタ保護ケース９Ａは、第１弾性部材９０１と第２弾性部材９０２とを備えている。ベース９１Ａの開口縁とカバー９２Ａとの間において、ベース９１Ａ側に第１弾性部材９０１が配置され、カバー９２Ａ側に第２弾性部材９０２が配置される。第１弾性部材９０１及び第２弾性部材９０２は、例えば独立気泡のスポンジからなる。独立気泡のスポンジとは、例えば、互いに連通しない多数の空間（互いに独立した空間；気泡）を内部に有するスポンジを意味する。
【００５１】
より詳細には、ベース９１Ａは、ベース９１Ａの開口の開口縁に沿ってリード線７１，７２の導出方向（図５の紙面に垂直な方向）に延びる一対のリブ９１１Ａを有する。第１弾性部材９０１は、一対のリブ９１１Ａの間で規定される矩形の領域を囲む、矩形の枠状（シール部材９００と同様の形状）に形成されている。第２弾性部材９０２は、リード線７１，７２を挟んで第１弾性部材９０１と対向する位置に、設けられている。例えば、第２弾性部材９０２は、第１弾性部材９０１との間に複数のリード線７１を挟む帯状の部材と、第１弾性部材９０１との間に複数のリード線７２を挟む別の帯状の部材と、を備えている。
【００５２】
カバー９２Ａがベース９１Ａに結合された状態で、複数のリード線７１の間の隙間、及び複数のリード線７２の間の隙間は、第１弾性部材９０１及び第２弾性部材９０２が弾性変形することで、第１弾性部材９０１及び第２弾性部材９０２によって埋められる。すなわち、第１弾性部材９０１及び第２弾性部材９０２は、コネクタ保護ケース９の内部への水の浸入を抑制する防水部として機能する。
【００５３】
なお、第１弾性部材９０１及び第２弾性部材９０２は、上記の形状に限られず、カバー９２がベース９１に結合された状態で、複数のリード線７１の間の隙間及び複数のリード線７２の間の隙間のうちの少なくとも一方を、埋めることが可能な形状であればよい。例えば、第２弾性部材９０２は、第１弾性部材９０１に対向する枠状に形成されていてもよい。また、第１弾性部材９０１と第２弾性部材９０２とのうちの少なくとも一方に、リード線７１，７２を通すための凹溝が設けられていてもよい。
【００５４】
（変形例２）
図６に、変形例２のコネクタユニット８Ｂを示す。なお、上記実施形態のコネクタユニット８と同様の構成については、同一の符号を付して適宜説明を省略する。
【００５５】
このコネクタユニット８Ｂでは、ベース９１Ｂは、開口縁の一部に溝９１３を有し、カバー９２Ｂは、ベース９１Ｂの溝９１３に対応する位置に、溝９２３を有する。カバー９２Ｂがベース９１Ｂに結合された状態で、溝９１３，９２３によって、複数のリード線７２を通すための導出口９５が形成される。また、このコネクタユニット８Ｂにおいて、コネクタ保護ケース９Ｂは、ブッシング９０３を備えている。ブッシング９０３は、弾性材料からなり、複数のリード線７２がそれぞれ通される複数の導出孔９６を有する。ブッシング９０３は、導出口９５を埋めるように配置されている。
【００５６】
複数のリード線７２は、ブッシング９０３の導出孔９６を通って、コネクタ保護ケース９Ｂの内部から外部へ導出される。これにより、リード線７２間の隙間からの水の浸入が抑制される。すなわち、ブッシング９０３は、コネクタ保護ケース９の内部への水の浸入を抑制する防水部として機能する。
【００５７】
なお、コネクタ保護ケース９Ｂは、リード線７２側の導出口９５及びブッシング９０３に変えて或いは加えて、リード線７１側にも同様の導出口及びブッシングを備えてもよい。また、ブッシング９０３の導出孔９６にグリス等の封止剤を塗布することで、さらに防水性能を高めることも可能である。
【００５８】
上記の実施形態及び変形例１，２の構成は、適宜に組み合わされてもよい。
【００５９】
なお、図３，４において、シール部材９００の複数のドットは、シール部材９００が弾性材料からなることを示しており、断面を示すハッチングではない。図５の第１弾性部材９０１、及び第２弾性部材９０２、図６のブッシング９０３についても、同様である。
【００６０】
（態様）
以上説明したように、第１の態様の電動工具（１）は、モータ（３）と、ハウジング（２）と、第１の回路モジュール（スイッチ回路モジュール４、又は制御回路モジュール５）と、第２の回路モジュール（スイッチ回路モジュール４、又は制御回路モジュール５）と、第１コネクタ（スイッチ側コネクタ８１、又は制御側コネクタ８２）と、第２コネクタ（スイッチ側コネクタ８１、又は制御側コネクタ８２）と、コネクタ保護ケース（９，９Ａ，９Ｂ）と、を備える。ハウジング（２）は、中空であってモータ（３）を収納する。第１の回路モジュールは、ハウジング（２）内の第１領域（グリップ部２２の内部、又は電池パック装着部２３の内部）に配置される。第２の回路モジュールは、ハウジング（２）内の第２領域（グリップ部２２の内部、又は電池パック装着部２３の内部）に配置される。第１コネクタは、複数の第１リード線（７１，又は７２）を介して第１の回路モジュールに接続される。第２コネクタは、複数の第２リード線（７１，又は７２）を介して第２の回路モジュールに接続される。コネクタ保護ケース（９，９Ａ，９Ｂ）は、ハウジング（２）内に配置される。コネクタ保護ケース（９，９Ａ，９Ｂ）は、複数の第１リード線及び複数の第２リード線が導出されるように第１コネクタ及び第２コネクタを内部に収納する。コネクタ保護ケース（９，９Ａ，９Ｂ）は、内部への水の浸入を抑制する防水部を備える。
【００６１】
この構成によれば、第１コネクタ及び第２コネクタへの水の浸入を抑制しながら、設計自由度を向上させることが可能となるという利点がある。
【００６２】
第２の態様の電動工具（１）は、第１の態様において、ハウジング（２）は、使用者が手で持つための一方向に長いグリップ部（２２）を有する。第１及び第２領域は、グリップ部（２２）における一方向の両側にそれぞれ位置する。コネクタ保護ケース（９，９Ａ，９Ｂ）は、グリップ部（２２）の内部に配置される。
【００６３】
この構成によれば、グリップ部（２２）の内部（内部空間）を有効に利用することができる。
【００６４】
第３の態様の電動工具（１）は、第１又は第２の態様において、コネクタ保護ケース（９，９Ａ，９Ｂ）は、ベース（９１，９１Ａ，９１Ｂ）と、カバー（９２，９２Ａ，９２Ｂ）と、を備える。ベース（９１，９１Ａ，９１Ｂ）は、一面に開口９１９を有する。カバー（９２，９２Ａ，９２Ｂ）は、ベース（９１，９１Ａ，９１Ｂ）の開口９１９を覆うようにベース（９１，９１Ａ，９１Ｂ）に着脱可能に結合される。防水部は、シール部材（９００）を含む。シール部材（９００）は、弾性材料からなり、ベース（９１，９１Ａ，９１Ｂ）の開口（９１９）の開口縁に設けられてベース（９１，９１Ａ，９１Ｂ）とカバー（９２，９２Ａ，９２Ｂ）との間に介在する。
【００６５】
この構成によれば、ベース（９１，９１Ａ，９１Ｂ）とカバー（９２，９２Ａ，９２Ｂ）との間の合わせ面がシール部材９００でシールされるので、コネクタ保護ケース（９，９Ａ，９Ｂ）内への水の浸入をより抑制することができる。
【００６６】
第４の態様の電動工具（１）は、第３の態様において、複数の第１リード線は、ベース（９１Ａ）の開口縁とカバー（９２Ａ）との間から導出される。防水部は、ベース（９１Ａ）側に配置された第１弾性部材（９０１）と、カバー（９２Ａ）側に配置されて、第１弾性部材（９０１）とともに複数の第１リード線の間の隙間を埋める第２弾性部材（９０２）と、を含む。
【００６７】
この構成によれば、簡単な構成で、複数の第１リード線の間の隙間を埋めることができ、コネクタ保護ケース（９，９Ａ，９Ｂ）内への水の浸入をより抑制することができる。
【００６８】
第５の態様の電動工具（１）は、第１〜第３の何れか１つの態様において、コネクタ保護ケース（９Ｂ）は、複数の第１リード線を導出するための導出口（９５）を有する。防水部は、ブッシング（９０３）を含む。ブッシング（９０３）は、弾性材料からなり、複数の第１リード線がそれぞれ通される複数の導出孔（９６）を有し、導出口（９５）を埋めるように配置される。
【００６９】
この構成によれば、複数の第１リード線の間の隙間がブッシング９０３によって埋められるので、コネクタ保護ケース９Ｂ内への水の浸入をより抑制することができる。
【００７０】
第６の態様の電動工具（１）は、第１〜第５の何れか１つの態様において、使用者の操作を受け付ける操作部（４１）を更に備える。第１及び第２の回路モジュールのうちの一方は、操作部（４１）の操作に応じた操作信号を生成するスイッチ回路モジュール（４）である。第１及び第２の回路モジュールのうちの他方は、スイッチ回路モジュール（４）から第１及び第２コネクタを介して受け取った操作信号に応じてモータ（３）の駆動を制御する制御回路モジュール（５）である。
【００７１】
この構成によれば、例えばスイッチ回路モジュール４と制御回路モジュール５とのうちの一方の交換が必要になったときに、第１及び第２コネクタを取り外すことで、片方のみを交換することが可能となる。
【符号の説明】
【００７２】
１  電動工具
２  ハウジング
３  モータ
４  スイッチ回路モジュール（第１の回路モジュール、第２の回路モジュール）
４１  操作部
５  制御回路モジュール（第１の回路モジュール、第２の回路モジュール）
７１  リード線（第１のリード線、第２のリード線）
７２  リード線（第１のリード線、第２のリード線）
８１  スイッチ側コネクタ（第１コネクタ、第２コネクタ）
８２  制御側コネクタ（第１コネクタ、第２コネクタ）
９，９Ａ，９Ｂ  コネクタ保護ケース
９００  シール部材（防水部）
９０１  第１弾性部材（防水部）
９０２  第２弾性部材（防水部）
９０３  ブッシング（防水部）
９１，９１Ａ，９１Ｂ  ベース
９２，９２Ａ，９２Ｂ  カバー
９５  導出口
９６  導出孔
【図１】
2018089731.tif 000003
【図２】
2018089731.tif 000004
【図３】
2018089731.tif 000005
【図４】
2018089731.tif 000006
【図５】
2018089731.tif 000007
【図６】
2018089731.tif 000008